(57)【要約】 【課題】画像を見るだけで、複数の投影装置のうちどの投影装置で不具合が生じているか認識可能とする。【解決手段】機器情報検出手段（傾きセンサ２２，３２）を備えた複数の投影装置２，３から投影される画像を一つに重ねて画像を形成するため、複数の投影装置２，３に対して画像情報を出力する投影制御装置６である。投影制御装置６は、複数の投影装置２，３のそれぞれの機器情報検出手段により検出された機器情報を取得する機器情報取得手段（通信部６３及び制御部６４）と、機器情報取得手段によって取得した各投影装置２，３の機器情報と、当該投影装置２，３の識別情報とを、一つの投影装置２から投影させる投影制御手段（制御部６４）とを備える。【選択図】図２
2016012828.tif 000002
【特許請求の範囲】
【請求項１】
機器情報検出手段を備えた複数の投影装置から投影される画像を一つに重ねて画像を形成するため、前記複数の投影装置に対して画像情報を出力する投影制御装置であって、
複数の投影装置のそれぞれの前記機器情報検出手段により検出された機器情報を取得する機器情報取得手段と、
前記機器情報取得手段によって取得した各投影装置の機器情報と、当該投影装置の識別情報とを、一つの前記投影装置から投影させる投影制御手段と、
を備えることを特徴とする投影制御装置。
【請求項２】
請求項１記載の投影制御装置において、
前記機器情報取得手段は、前記機器情報検出手段によって検出された前記投影装置の姿勢情報を前記機器情報として取得することを特徴とする投影制御装置。
【請求項３】
請求項１又は２記載の投影制御装置において、
前記機器情報取得手段で取得した前記機器情報に基づいて前記投影装置が異常であるか否かを判断する判断手段を備え、
前記投影制御手段は、前記判断手段が異常であると判断した前記投影装置の異常に関する情報を前記機器情報として、前記一つの前記投影装置に投影させることを特徴とする投影制御装置。
【請求項４】
請求項３記載の投影制御装置において、
前記異常に関する情報には、当該異常に対する対処方法が含まれていることを特徴とする投影制御装置。
【請求項５】
請求項１〜４のいずれか一項記載の投影制御装置において、
前記投影制御手段は、前記機器情報の色が前記投影装置毎に異なるように前記機器情報を前記一つの前記投影装置に投影させることを特徴とする投影制御装置。
【請求項６】
請求項１〜５のいずれか一項記載の投影制御装置と通信自在な投影装置であって、
前記投影装置の機器情報を検出する機器情報検出手段と、
前記機器情報検出手段で検出された前記機器情報を前記投影制御装置に出力する機器情報出力手段とを備えることを特徴とする投影装置。
【請求項７】
請求項６に記載の投影装置において、
前記機器情報出力手段は、前記投影制御装置から問い合わせがあった場合に、前記機器情報を前記投影制御装置に出力することを特徴とする投影装置。
【請求項８】
請求項６又は７記載の投影装置において、
前記機器情報検出手段は、前記機器情報として前記投影装置の姿勢情報を検出することを特徴とする投影装置。
【請求項９】
複数の投影装置と、
前記複数の投影装置から投影される画像を一つに重ねて画像を形成するため、前記複数の投影装置に対して画像情報を出力する投影制御装置とを有する投影システムであって、
前記投影装置は、
当該投影装置の機器情報を検出する機器情報検出手段と、
前記機器情報検出手段で検出された前記機器情報を前記投影制御装置に出力する機器情報出力手段と、を備え、
前記投影制御装置は、
複数の前記投影装置のそれぞれの前記機器情報検出手段により検出された機器情報を取得する機器情報取得手段と、
前記機器情報取得手段によって取得した各投影装置の機器情報と、当該投影装置の識別情報とを、一つの前記投影装置から投影させる投影制御手段とを備えることを特徴とする投影システム。
【請求項１０】
機器情報検出手段を備えた複数の投影装置から投影される画像を一つに重ねて画像を形成するための投影方法であって、
複数の投影装置のそれぞれの前記機器情報検出手段により検出された機器情報を取得する機器情報取得ステップと、
前記機器情報取得ステップによって取得した各投影装置の機器情報と、当該投影装置の識別情報とを、一つの前記投影装置から投影させる投影ステップとを含むことを特徴とする投影方法。
【請求項１１】
機器情報検出手段を備えた複数の投影装置から投影される画像を一つに重ねて画像を形成するため、前記複数の投影装置に対して画像情報を出力するコンピュータを、
複数の投影装置のそれぞれの前記機器情報検出手段により検出された機器情報を取得する機器情報取得手段と、
前記機器情報取得手段によって取得した各投影装置の機器情報と、当該投影装置の識別情報とを、一つの前記投影装置から投影させる投影制御手段として機能させることを特徴とするプログラム。
【発明の詳細な説明】
【技術分野】
【０００１】
本発明は、投影制御装置、投影装置、投影システム、投影方法及びプログラムに関する。
【背景技術】
【０００２】
従来、複数の投影装置から投影された画像を重ねて一つの画像を形成することにより、画像の明るさを確保する投影システム（スタック投影システム）が知られている（例えば特許文献１参照）。
【先行技術文献】
【特許文献】
【０００３】
【特許文献１】特開２００４−３３６２２５号公報
【発明の概要】
【発明が解決しようとする課題】
【０００４】
しかしながら、このような投影システムの場合、一つの投影装置で不具合が生じていたとしても、ユーザは形成された画像からはどの投影装置で不具合が生じているか一見して把握できないという問題があった。
そこで本発明の課題は、投影された画像を見るだけで、ユーザは複数の投影装置のうちどの投影装置で不具合が生じているか認識可能とすることである。
【課題を解決するための手段】
【０００５】
以上の課題を解決するため、本発明の一の態様によれば、
機器情報検出手段を備えた複数の投影装置から投影される画像を一つに重ねて画像を形成するため、前記複数の投影装置に対して画像情報を出力する投影制御装置であって、
複数の投影装置のそれぞれの前記機器情報検出手段により検出された機器情報を取得する機器情報取得手段と、
前記機器情報取得手段によって取得した各投影装置の機器情報と、当該投影装置の識別情報とを、一つの前記投影装置から投影させる投影制御手段と、
を備えることを特徴とする投影制御装置が提供される。
【発明の効果】
【０００６】
本発明によれば、ユーザは投影された画像を見るだけで、複数の投影装置のうちどの投影装置で不具合が生じているか認識することができる。
【図面の簡単な説明】
【０００７】
【図１】本実施形態に係る投影システムの概略構成を示す外観斜視図である。
【図２】本実施形態に係る投影システムの主制御構成を示すブロック図である。
【図３】本実施形態に係る投影制御装置による機器情報表示（投影）処理の流れを示すフローチャートである。
【図４】本実施形態に係る２番目の投影装置に異常があり、１番目の投影装置に異常がない場合に表示（投影）される画像例を示す説明図である。
【図５】本実施形態に係る１番目の投影装置及び２番目の投影装置に異常がある場合に表示（投影）される画像例を示す説明図である。
【図６】本実施形態に係る別の表示（投影）画像例を示す説明図である。
【発明を実施するための形態】
【０００８】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【０００９】
図１は、本実施形態に係る投影システム１の概略構成を示す外観斜視図である。なお、本実施形態において、投影システム１における左右とは投影方向に対しての左右方向を示し、前後とは投影システム１の投影方向の進行方向に対しての前後方向を示す。
【００１０】
図１に示すように投影システム１には、上下方向に重ねて配列された二台の投影装置２，３と、これら二台の投影装置２，３を収容して支持するフレーム４と、上側の投影装置２とフレーム４との相対的な角度を調整する角度調整機構２５と、下側の投影装置３とフレーム４との相対的な角度を調整する角度調整機構３５と、フレーム４の下面に搭載されて、二台の投影装置２，３に対して画像情報を出力する投影制御装置６と、が備えられている。
【００１１】
フレーム４には、二台の投影装置２，３を収容するフレーム本体４１と、フレーム本体４１の天板４２と天井とを連結し、フレーム本体４１を天吊りする天吊り部４３と、二台の投影装置２，３のそれぞれの上方を覆うカバー部材４４とを備えている。
フレーム本体４１の前面は、二台の投影装置２，３から出射された投影光がスクリーンに達するように開放されている。フレーム本体４１には、当該フレーム本体４１との相対的な角度が調整できるように、上側の投影装置２が角度調整機構２５を介して取り付けられ、下側の投影装置３が角度調整機構３５を介して取り付けられている。この角度調整機構２５，３５による角度調整によって、二台の投影装置２，３で投影された画像を一つに重なるように調整することができる。
【００１２】
図２は、本実施形態に係る投影システム１の主制御構成を示すブロック図である。
図２に示すように投影装置２，３には、画像を投影する投影部２１，３１と、投影装置２，３の傾きを検出する傾きセンサ２２，３２と、投影制御装置６と通信する通信部２３，３３と、これらを制御する制御部２４，３４とが備えられている。
傾きセンサ２２，３２は、本発明に係る機器情報検出手段であり、機器情報として投影装置２，３の角度（姿勢情報）を検出するようになっている。
制御部２４，３４は、通信部２３，３３を介して入力された画像情報に対して、傾きセンサ２２，３２の検出結果に基づき台形補正を施し、補正後の画像情報によって投影部２１，３１を制御することで、画像をスクリーンに対して出力するようになっている。
また、制御部２４，３４は、投影制御装置６から問い合わせがあった場合に、傾きセンサ２２，３２で検出された投影装置２，３の角度を取得して、通信部２３，３３を介して投影制御装置６に出力する。つまり、制御部２４，３４及び通信部２３，３３が本発明に係る機器情報出力手段である。
【００１３】
投影制御装置６は、操作部６１と、記憶部６２と、通信部６３と、これらを制御する制御部６４とを備えている。
操作部６１は、各種指示や設定条件が入力されるものであり、例えば、投影制御装置６に接続されている投影装置２，３の台数（接続台数）が入力される。
記憶部６２は、種々の情報を記憶するものであり、投影装置２，３から取得したそれぞれの正常時の角度や、異常に対する対処方法などを予め記憶している。正常時の角度としては、投影装置２，３を天井に設置し、両者から投影された画像が一つの画像として正確に重なるように調整された後の角度を傾きセンサ２２，３２から取得し記憶部６２が記憶している。
通信部６３は、画像を再生する画像再生装置７及び二台の投影装置２，３に対して通信自在（可能）に接続されている。
【００１４】
制御部６４は、画像再生装置７から通信部６３を介して入力された画像情報に対して、二台の投影装置２，３から投影した画像を一つに重ねて画像を形成する際に、適した画像となるように補正を施す。さらに制御部６４は、補正に伴って上側の投影装置２用の画像情報と、下側の投影装置３用の画像情報を生成し、通信部６３を介してそれぞれの投影装置２，３に対応する画像情報を出力する。
【００１５】
また、制御部６４は、操作部６１から入力された台数を基に各投影装置２，３に対して番号付けを行う。この番号が投影装置２，３を識別するための識別情報となる。なお、番号付けにおいては、ユーザからの指示に基づいた順で番号付けされることが好ましい。これにより、各番号と各投影装置２，３との対応関係をユーザは容易に認識することができる。
具体的には、本実施形態のように複数の投影装置２，３が上下方向に配列されている場合に、上から順に番号付けをする旨の指示がユーザによって操作部６１に入力されたとすると、上側の投影装置２が１番目の投影装置２となり、下側の投影装置３が２番目の投影装置３となる。
なお、左右方向に複数の投影装置が配列されている場合には、左から順、或いは右から順に番号付けをする旨の指示がユーザによって操作部６１に入力され、その指示に応じた順で制御部６４が番号付けを実行する。
【００１６】
制御部６４は、各投影装置２，３から通信部６３を介して入力された傾きセンサ２２，３２の検出結果を取得する。つまり、通信部６３及び制御部６４が本発明に係る機器情報取得手段である。制御部６４は、取得した各投影装置２，３の傾きセンサ２２，３２の検出結果と、記憶部６２に記憶されている各投影装置２，３の正常時の角度とを比較し、その差が許容範囲を超えている場合には、異常であると判断する。つまり、制御部６４が本発明に係る判断手段である。
そして、制御部６４は、異常であると判断した投影装置２，３の異常に関する情報を機器情報として、一つの投影装置２，３に投影させる。つまり、制御部６４が本発明に係る投影制御手段である。例えば、１番目の投影装置２が異常であると判断した場合、制御部６４は、異常と判断された１番目の投影装置２の異常に関する情報を機器情報として、異常のない２番目の投影装置３から投影させる。
また、各投影装置２，３の両者に異常があると判断した場合には、制御部６４は、各投影装置２，３の異常に関する情報を投影装置２，３毎に識別できるように、投影装置２，３のいずれか一つから投影させる。
異常に関する情報の具体的な表示例としては、制御部６４が、各投影装置２，３に対する画像情報に対して、異常に関する情報を重畳し、投影をする一つの投影装置２，３に出力することで、投影装置２，３の一つからは、異常に関する情報が投影画像に重畳した状態で投影されることになる。
ここで、異常に関する情報としては、単に異常を示す情報や、その異常に対する対処方法を示す情報などが挙げられる。
【００１７】
このとき、例えば、異常に関する情報（機器情報）が、位置ずれ（角度ずれ）エラーであって、全ての投影装置２，３からその機器情報が投影されるとすると、文字が重なって（滲んで）しまい、ユーザはその機器情報を解読することが困難になるが、この構成により、機器情報をユーザに確実に報知することができる。
【００１８】
次に、本実施形態の作用について説明する。図３は、投影制御装置６による機器情報表示（投影）処理の流れを示すフローチャートである。
まず、ステップＳ１では、投影制御装置６の制御部６４は、操作部６１から入力された接続台数を基に、当該投影制御装置６に接続されている投影装置２，３の台数を取得する。
【００１９】
ステップＳ２では、制御部６４は、入力された接続台数に基づいて各投影装置２，３に対して番号付けを行う。なお、以下の説明では、上述したように上側の投影装置２を１番目の投影装置２とし、下側の投影装置３を２番目の投影装置３とする。
【００２０】
ステップＳ３では、制御部６４はｉ＝１に設定する。
ステップＳ４では、制御部６４は、ｉ番目（１番目）の投影装置２に機器情報を問い合わせる。この問い合わせに基づいてｉ番目の投影装置２からは当該投影装置２の機器情報（投影装置２の角度）が投影制御装置６に対して出力される。
【００２１】
ステップＳ５では、制御部６４は、ｉ番目の投影装置２から出力された機器情報を取得する。
ステップＳ６では、制御部６４は、記憶部６２に記憶されている通常時の機器情報（投影装置２の正常時の角度）と、現在、投影装置２から取得した機器情報とを比較する。
ステップＳ７では、制御部６４は、この比較によって得た差が許容範囲に収まっているか否かを判断し、許容範囲に収まっている場合には異常なしと判断して処理をステップＳ９に移行する。一方、制御部６４は、前記差が許容範囲に収まっていないと判断した場合には、異常として判断し、処理をステップＳ８に移行する。
【００２２】
ステップＳ８では、制御部６４は、ｉ番目の投影装置２が異常である旨を記憶部６２に記憶させる。このとき、制御部６４は、異常であると判断された投影装置２の機器情報も記憶部６２に記憶させる。
ステップＳ９では、制御部６４は、現在のｉに対して１を加えたものを新たなｉとして設定する。
ステップＳ１０では、制御部６４は、ｉがｎよりも大きいか否かを判断し、ｉがｎよりも大きい場合には処理をステップＳ１１に移行し、ｉがｎ以下である場合には処理をステップＳ４に移行する。つまり、ｉがｎを越えるまではステップＳ４からステップＳ９が繰り返されるため、投影制御装置６に接続された全ての投影装置２，３に対して異常の有無の判断が行われる。本実施形態の場合には２番目の投影装置３に対してステップＳ４からステップＳ８の処理が施された後に、処理がステップＳ１１に移行することになる。
【００２３】
ステップＳ１１では、制御部６４は、記憶部６２内の情報から、異常と判断された投影装置（本実施形態では２番目の投影装置３に異常があったものとする。）を特定するとともに当該投影装置３の異常に関する情報を画像情報に重畳する。このとき、異常と判断された投影装置３の番号（識別情報）を異常に関する情報に付与し、異常が発生した投影装置３を特定できるようにしておく。
【００２４】
ステップＳ１２では、制御部６４は、記憶部６２内の情報から、投影制御装置６に接続された全ての投影装置２，３が異常となっているか否かを判断し、全ての投影装置２，３が異常である場合には処理をステップＳ１３に移行し、そうでない場合には処理をステップＳ１４に移行する。
【００２５】
ステップＳ１３では、制御部６４は、投影制御装置６に接続された全ての投影装置２，３のうち、一つの投影装置２に対して画像情報（機器情報が重畳されたもの）を出力し、当該投影装置２から画像情報に基づく画像を投影させ、処理を「戻る」に移行する。なお、このとき他方の投影装置３においては画像情報が出力されていないので投影が停止されている。
【００２６】
ステップＳ１４では、制御部６４は、異常のない一つの投影装置２に対して画像情報を出力し、当該投影装置２から画像情報に基づく画像を投影させ、処理を「戻る」に移行する。なお、ステップＳ１３と同様に、他方の投影装置３においては画像情報が出力されていないので投影が停止されている。なお、投影の停止時においては投影装置３の投影部３１にある光源をＯＦＦとしてもよい。こうすることで省電力化を図ることができる。
【００２７】
図４は、１番目の投影装置２に異常がなく、２番目の投影装置３に異常がある場合に表示（投影）される画像を示す説明図である。図４では、異常のない１番目の投影装置２の投影画像Ｇ１（細線で示す）に対して、異常のある２番目の投影装置３の投影領域Ｇ２（太線で示す）が下側にずれている場合を示している。図４に示すように、１番目の投影装置２による投影画像Ｇ１には、２番目の投影装置３の異常に関する情報として、異常の報告（第二の投影装置に許容範囲以上のズレが発生しました。）と、その異常に対する対処方法（下方向に約２度傾けるように調整してください。）が表示されている。この対処方法における数値は、２番目の投影装置３から実際に取得した角度と、許容範囲の上限値、中央値及び下限値の少なくとも一つとの差分により制御部６４が求めている。
【００２８】
以上のように本実施形態によれば、異常として判断された投影装置３の異常に関する情報が機器情報として、当該投影装置３の識別情報とともに一つの投影装置２から投影されるので、ユーザが投影された画像を見るだけで、複数の投影装置のうちどの投影装置で不具合が生じているか確実に認識することができる。
【００２９】
また、傾きセンサ２２，３２が検出する投影装置２，３の角度を機器情報としているので、例えば地震等によって投影装置２，３が揺れてしまい、それにより傾いたか否かを判断することができる。
なお、投影角度のずれを検出するための機構は傾きセンサに限らない。例えば、角度調整機構２５，３５の調整ずれが直接検出されるようにしてもよい。
【００３０】
また、異常に関する情報として当該異常に対する対処方法が投影されているので、ユーザに異常に関する情報とその対処方法とを通知することができる。したがって、異常に対して適切に対応することができる。
さらに、投影装置２，３の制御部２４，３４及び通信部２３，３３は、投影制御装置６から問い合わせがあった場合に、機器情報を投影制御装置６に出力しているので、適切なタイミングで機器情報を投影制御装置６に出力することができる。
【００３１】
また、図５に、１番目の投影装置２に異常があり、２番目の投影装置にも異常がある場合に表示（投影）される画像例を示す。
図５に示すように、１番目の投影装置２及び２番目の投影装置３のそれぞれの異常に関する情報と、その異常に対する対処方法は、一番目の投影装置２から表示（投影）されている。図５に示すような対処方法により、スタックのされ方とともに、スタックされた画像の位置自体のずれも修正することができる。
このように、例えば、複数の投影装置（ここでは２台）の全てに異常が発生している場合にも、適切に読みやすくユーザに通知することができる。
【００３２】
また、機器情報が画像情報に重畳されて投影されているので、機器情報表示用の特別なフォーマットを設けなくとも容易に機器情報を投影することができる。
【００３３】
なお、本実施形態では、投影制御装置６に対して二台の投影装置２，３が接続されている場合を例示して説明したが、三台以上の投影装置２，３が接続されていてもよい。
【００３４】
また、上記実施形態では、異常に関する情報が一つの投影装置２から表示（投影）される場合を例示して説明したが、これ以外の投影装置２，３の機器情報を表示（投影）してもよい。これにより、投影装置２，３の機器情報と当該投影装置２，３の識別情報とが一つの投影装置２から表示（投影）されるので、各投影装置２，３の状況を瞬時に把握することができる。そして、ユーザは表示（投影）された機器情報からどの投影装置２，３に不具合が生じているか確実に判断することができる。
そして、例えば文字が滲むような現象があった場合、原因が回路側のものか位置ずれによるものかを切り分けて報知できる。また、位置ずれによる場合には、一つの投影装置から機器情報（異常に関する情報）を投影させるので、文字が重なる（滲む）ようなことはなく、適切に表示することができる。
【００３５】
さらに、機器情報の色が投影装置２，３毎に異なるように、制御部６４が機器情報を投影装置２，３に投影させるようにしてもよい。表示（投影）された機器情報の色の異なりによってどの投影装置２，３に異常が生じているか瞬時に判断することが可能となる。
【００３６】
また、上記実施形態では、投影装置２，３の機器情報として当該投影装置２，３の角度を例示して説明しているが、投影装置２，３の異常を検出できる情報であれば如何なるものを機器情報としてもよい。角度以外の機器情報としては、投影装置２，３自体の温度や、投影部２１，３１の投影状況などが挙げられる。投影装置２，３自体の温度を機器情報とする場合、機器情報検出手段は、投影装置２，３の温度を検出する温度センサとなる。投影部２１，３１の投影状況を機器情報とする場合、機器情報検出手段は、投影部２１，３１による投影が不能になったことを検出する不具合センサとなる。
【００３７】
図６に、温度に関する機器情報が表示（投影）される画像例を示す。
図６に示すように、このような機器情報についても投影装置２，３の識別情報とともに表示されるので、投影装置２，３の温度状況をユーザは瞬時に把握することができる。
【００３８】
また、投影が不能な投影装置が存在している場合には、制御部６４は、その異常に関する情報を、投影が可能な一つの投影装置から投影させる。これにより、異常に関する情報を確実に表示することができる。
【００３９】
また、上記実施形態では、異常の有無が判断される場合を例示して説明したが、対処方法を施した後にその対象となる投影装置２が正常な状態に戻ったか否かを制御部６４が判断することも可能である。そして、正常な状態に戻った場合には、制御部６４は、投影装置３の異常に関する情報を消去する。これにより、作業者に対して正常な状態に戻ったことが通知されるため、復帰作業の効率化を図ることができる。
【００４０】
また、上記実施形態では特に説明していないが、機器情報投影時に機器情報以外の実際の画像情報（機器情報が重畳されていないもの）については、全ての投影装置（両方の投影装置２，３）からの投影を行うようにしてもよいし、どの投影装置（両方の投影装置２，３）からも行わないようにしてもよい。
また、全ての投影装置（両方の投影装置２，３）からの投影と、一つの投影装置からの投影とを所定の周期毎（例えば数秒毎）に交互に行うようにしてもよい。そのようにすると、例えば、位置ずれエラーの場合、異常の確実な報知とともに、実際の異常（位置ずれ）の状況（程度）をユーザに容易に確認させることもできる。
【００４１】
また、本実施形態では、投影制御装置６に接続されている投影装置２，３の台数（接続台数）が操作部６１に入力される場合を例示して説明したが、接続台数の取得においては、投影制御装置６と通信可能な投影装置２，３の台数を制御部６４が自動で取得するようにしてもよい。この場合、制御部６４が本発明に係る台数取得手段となる。
【００４２】
また、本実施形態では、投影制御装置６が投影装置２，３を制御する場合を例示して説明したが、投影装置２，３のどちらかが、投影制御装置６の機能を有するもの（システム）であってもよい。その場合、投影装置２，３が本発明に係る投影制御装置となる。
【００４３】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００４４】
〔付記〕
＜請求項１＞
機器情報検出手段を備えた複数の投影装置から投影される画像を一つに重ねて画像を形成するため、前記複数の投影装置に対して画像情報を出力する投影制御装置であって、
複数の投影装置のそれぞれの前記機器情報検出手段により検出された機器情報を取得する機器情報取得手段と、
前記機器情報取得手段によって取得した各投影装置の機器情報と、当該投影装置の識別情報とを、一つの前記投影装置から投影させる投影制御手段と、
を備えることを特徴とする投影制御装置。
＜請求項２＞
請求項１記載の投影制御装置において、
前記機器情報取得手段は、前記機器情報検出手段によって検出された前記投影装置の姿勢情報を前記機器情報として取得することを特徴とする投影制御装置。
＜請求項３＞
請求項１又は２記載の投影制御装置において、
前記機器情報取得手段で取得した前記機器情報に基づいて前記投影装置が異常であるか否かを判断する判断手段を備え、
前記投影制御手段は、前記判断手段が異常であると判断した前記投影装置の異常に関する情報を前記機器情報として、前記一つの前記投影装置に投影させることを特徴とする投影制御装置。
＜請求項４＞
請求項３記載の投影制御装置において、
前記異常に関する情報には、当該異常に対する対処方法が含まれていることを特徴とする投影制御装置。
＜請求項５＞
請求項１〜４のいずれか一項記載の投影制御装置において、
前記投影制御手段は、前記機器情報の色が前記投影装置毎に異なるように前記機器情報を前記一つの前記投影装置に投影させることを特徴とする投影制御装置。
＜請求項６＞
請求項１〜５のいずれか一項記載の投影制御装置と通信自在な投影装置であって、
前記投影装置の機器情報を検出する機器情報検出手段と、
前記機器情報検出手段で検出された前記機器情報を前記投影制御装置に出力する機器情報出力手段とを備えることを特徴とする投影装置。
＜請求項７＞
請求項６に記載の投影装置において、
前記機器情報出力手段は、前記投影制御装置から問い合わせがあった場合に、前記機器情報を前記投影制御装置に出力することを特徴とする投影装置。
＜請求項８＞
請求項６又は７記載の投影装置において、
前記機器情報検出手段は、前記機器情報として前記投影装置の姿勢情報を検出することを特徴とする投影装置。
＜請求項９＞
複数の投影装置と、
前記複数の投影装置から投影される画像を一つに重ねて画像を形成するため、前記複数の投影装置に対して画像情報を出力する投影制御装置とを有する投影システムであって、
前記投影装置は、
当該投影装置の機器情報を検出する機器情報検出手段と、
前記機器情報検出手段で検出された前記機器情報を前記投影制御装置に出力する機器情報出力手段と、を備え、
前記投影制御装置は、
複数の前記投影装置のそれぞれの前記機器情報検出手段により検出された機器情報を取得する機器情報取得手段と、
前記機器情報取得手段によって取得した各投影装置の機器情報と、当該投影装置の識別情報とを、一つの前記投影装置から投影させる投影制御手段とを備えることを特徴とする投影システム。
＜請求項１０＞
機器情報検出手段を備えた複数の投影装置から投影される画像を一つに重ねて画像を形成するための投影方法であって、
複数の投影装置のそれぞれの前記機器情報検出手段により検出された機器情報を取得する機器情報取得ステップと、
前記機器情報取得ステップによって取得した各投影装置の機器情報と、当該投影装置の識別情報とを、一つの前記投影装置から投影させる投影ステップとを含むことを特徴とする投影方法。
＜請求項１１＞
機器情報検出手段を備えた複数の投影装置から投影される画像を一つに重ねて画像を形成するため、前記複数の投影装置に対して画像情報を出力するコンピュータを、
複数の投影装置のそれぞれの前記機器情報検出手段により検出された機器情報を取得する機器情報取得手段と、
前記機器情報取得手段によって取得した各投影装置の機器情報と、当該投影装置の識別情報とを、一つの前記投影装置から投影させる投影制御手段として機能させることを特徴とするプログラム。
【符号の説明】
【００４５】
１      投影システム
２，３  投影装置
２１，３１  投影部
２２，３２  傾きセンサ（機器情報検出手段）
２３，３３  通信部（機器情報出力手段）
２４，３４  制御部（機器情報出力手段）
２５，３５  角度調整機構
４      フレーム
６      投影制御装置
６１  操作部
６２  記憶部
６３  通信部（機器情報取得手段）
６４  制御部（機器情報取得手段、投影制御手段）
７      画像再生装置
【図１】
2016012828.tif 000003
【図２】
2016012828.tif 000004
【図３】
2016012828.tif 000005
【図４】
2016012828.tif 000006
【図５】
2016012828.tif 000007
【図６】
2016012828.tif 000008